(57)【要約】      （修正有）【課題】歯科用スプリントを製作する装置を提供する。【解決手段】歯列模型２とスプリントシート４と分離シート３とを備え、分離シートとスプリントシートとが一緒に、歯列模型を介して深絞り加工されており、分離シートは、歯列模型とスプリントシートとの間に配置されており、分離シートは、歯列模型とスプリントシートとを相互に分離する、歯科用スプリントを製作する装置１に関する。歯列模型からスプリントシートをより迅速にかつより確実に取り出すための装置を提供するために、分離シートは、手で掴むことが可能であって歯列模型から離れた自由なグリップ領域を有する。【選択図】図１
2019195628.tif 000002
【特許請求の範囲】
【請求項１】
歯科用スプリントを製作する装置（１）であって、
−歯列模型（２）と、
−スプリントシート（４）と、
−分離シート（３）と、
を備え、
前記分離シート（３）と前記スプリントシート（４）とが一緒に、前記歯列模型（２）を介して深絞り加工されており、
前記分離シート（３）は、前記歯列模型（２）と前記スプリントシート（４）との間に配置されており、前記分離シート（３）は、前記歯列模型（２）と前記スプリントシート（４）とを相互に分離する、歯科用スプリントを製作する装置（１）において、
前記分離シート（３）は、手で掴むことが可能であって前記歯列模型（２）から離れた自由なグリップ領域（１２）を有することを特徴とする、歯科用スプリントを製作する装置（１）。
【請求項２】
前記分離シート（３）の、自由な前記グリップ領域（１２）は、前記歯列模型（２）の顎の遠位端（１０，１１）に位置することを特徴とする、請求項１記載の装置。
【請求項３】
前記分離シート（３）は、４０ＭＰａ〜７５ＭＰａ、好適には４２ＭＰａ〜７０ＭＰａの引張強度を有することを特徴とする、請求項１または２記載の装置。
【請求項４】
前記分離シート（３）の、前記スプリントシート（４）に面する側の面（６）が、前記分離シート（３）の、前記スプリントシート（４）とは反対側の面（７）よりも高い粗さを有することを特徴とする、請求項１から３までのいずれか１項記載の装置。
【請求項５】
前記分離シート（３）と前記スプリントシート（４）とは、前記歯列模型（２）を介して同時に深絞り加工されることを特徴とする、請求項１から４までのいずれか１項記載の装置。
【請求項６】
前記分離シート（３）は、深絞り加工前にすでに前記スプリントシート（４）と剥離可能に結合されていることを特徴とする、請求項１から５までのいずれか１項記載の装置。
【発明の詳細な説明】
【技術分野】
【０００１】
本発明は、歯科用スプリントを製作する装置であって、歯列模型とスプリントシートと分離シートとを備え、分離シートは、歯列模型とスプリントシートとの間に配置されており、分離シートは、歯列模型とスプリントシートとを相互に分離する、歯科用スプリントを製作する装置に関する。分離シートとスプリントシートとは、通常、相互に接着されていない。
【０００２】
背景技術
冒頭で述べたタイプの装置は、従来技術において知られていて、歯科用スプリントを製作するために使用されている。通常、これらのタイプの歯科用スプリントは、歯のずれた位置を修正するために使用される。つまり、歯科用スプリントを用いて、歯の位置が実際状態から目標状態へと誘導されるべきである。
【０００３】
歯を実際状態から目標状態へと誘導するために、相当数の歯を数ミリメートルまでの範囲で動かさなければならない。しかし、個々の歯科用スプリントは、０．２ｍｍ〜０．３ｍｍの修正をもたらすことしかできず、ゆえに、通常、順番に使用されるべき個々の形状がそれぞれ異なる複数の歯科用スプリントを使用しなければならず、これにより、処置されるべき歯の実際状態から最終的な目標状態への歯の誘導を達成することができる。そのために、所定の順序でそれぞれ通常１〜２週間にわたって個々の歯科用スプリントを使用しなければならない。その際、それぞれ別の歯科用スプリントが、歯を、最終的に最後の歯科用スプリントが歯を目標状態とするまで、次第に、より目標状態へ向けて誘導することが想定されている。
【０００４】
個々のそれぞれの歯科用スプリントの製作プロセスにおいて、まずは歯の実際状態と目標状態との間の相応の中間段階を再現する歯列模型が必要とされる。個々の歯科用スプリントを作成するために、まず分離シートが、これに続いてスプリントシートが、その都度の歯列模型を介して深絞り加工される。分離シートは、スプリントシートが歯列模型の歯間空隙へ進入するのを阻止すべきものである。すなわち、歯間空隙へのスプリントシートの進入により、スプリントシートは、もはや歯列模型から取り外すことができなくなるだろう。スプリントシートが硬化された後で、分離シートおよびスプリントシートは、まずは歯列模型の周縁にまで短縮される。通常、これは、スプリントシートの周りを孔開けするまたはスプリントシートを切り抜くことによって行われる。続いて、スプリントシートは、持ち上げるまたは押し出すことによって歯列模型から取り外される。しかし、これは、割合時間がかかる作業ステップである。というのも、スプリントシートは、歯の輪郭に良好に適合していて、したがっていくつかの角で歯列模型にくい込んでいるからである。スプリントシートが歯列模型から取り外された後、スプリントシートは、後続加工されるので、スプリントシートは、完成状態で、実際の歯科用スプリントを形成する。たとえば、歯科用スプリントは、スプリントシートから切り抜くことが可能である。
【０００５】
スプリントシートの周りの孔開けまたはスプリングシートの切抜きは、非常に時間がかかるとともに誤差が生じやすいだけでなく、硬化されたスプリントシートが破損してしまうことがあるという欠点が判明した。別の欠点は、取り外す際に歯列模型とスプリントシートとの分離にも同様に時間がかかり、力が集中する手順に基づき、スプリントシートが、ひいては実際の歯科用スプリントが破損してしまうことがある、ということにある。
【０００６】
課題
そこで本発明の根底を成す課題は、歯列模型からスプリントシートをより迅速にかつより確実に取り外す装置を提供することである。
【０００７】
解決手段
冒頭で述べたタイプの装置から出発して、本発明の根底を成す課題は、分離シートが、手で掴むことが可能であって歯列模型から離れた自由なグリップ領域を有することにより解決される。
【０００８】
「自由なグリップ領域」とは、本出願の意味において、歯列模型から突出し、手動で、好適には親指と人差し指との間で手によって掴むことができる程度に大きい、分離シートの領域と解釈することができる。この場合、「歯列模型から離れた」配置とは、グリップ領域がある程度の範囲で歯列模型の傍に配置された構成を意味している。通常、グリップ領域は、歯列模型の下面と同一平面を成すシート平面内に延在する。シート平面は、各々のシートが歯列模型を介する深絞り加工前に有していた、分離シートまたはスプリントシートの平面である。深絞り加工の結果、シートは、歯列模型の凹型がシートの上面でシート平面を越えて突出するように変形される。
【０００９】
本発明の特徴は、分離シートのグリップ領域を用いて、歯列模型を、１つの作業ステップで、硬化されたスプリントシートから取り外すことができることにある。そのために、グリップ領域は、スプリントシートに依存せずに分離シートを掴むことが可能である適切な力の作用箇所を提供するので、スプリントシートに同時に影響を及ぼすことなく、分離シートおよび歯列模型に力を加えることができる。これにより、スプリントシートおよび分離シートに、相互に離れる方向へ向けられた力を及ぼすことが容易になり、これによって最終的に、２つのシートは、相互に特に容易に分離可能である。好適には、スプリントシートは、一方の手で把持され、分離シートは、他方の手で把持される。したがって、スプリントシートからの歯列模型の面倒な押出しまたは持上げはもはや不要である。その結果、作業ステップの時間が節約され、したがって、場合によりスプリントシートを破損回避することも可能である。さらに、スプリントシートがより良好にアクセス可能であるので、歯列模型がもはや存在しないことに基づき、スプリントシートの後続の切抜きが容易になっている。
【００１０】
分離シートの、自由なグリップ領域が、歯列模型の顎の遠位端に位置するとき、特に簡単な取扱いが得られる。本出願によれば、歯列模型の顎の各々の遠位端は、歯列弓の両端を表しており、歯列弓の両端には、それぞれ歯列模型において示された顎の、隣の歯を１本しか有しない最も奥の歯（臼歯）が位置する。これは、たとえばグリップ領域が切歯の領域に配置された場合に該当するように、歯列模型の歯が、取り外すときにスプリントシート内で固定しないという利点を伴う。切歯は、口唇側へ、つまり唇の領域へ向けて傾斜しており、したがって分離シートのグリップ領域およびスプリントシートの突出領域に対して斜めに配置されているので、取り外すときにスプリントシートに引っかかるであろう。これによって生じる抵抗は、最終的にスプリントシートからの歯列模型の取外しを邪魔する。代替的に、２つの側歯領域に１つのグリップ領域を設けることも考えられるだろう。
【００１１】
さらに、歯列模型の遠位端に分離シートのグリップ領域を配置することは、スプリントシートから分離シートとともに歯列模型を取り外すのに必要とされる力が極めて小さく維持されるという利点を伴う。というのも、力の伝達が１箇所だけではなく２箇所で、つまり歯列模型の両方の遠位端で行われるからである。これは、特に従来技術において知られた取外しプロセスに対して簡単である。というのも、スプリントシートの引出しまたは持上げを個々の点で行うのではなく、複数の箇所で同時に行うことができるからである。
【００１２】
分離シートの自由なグリップ領域を、歯列模型の顎の遠位端に配置することに基づき、材料の節約を達成することがさらに可能である。というのも、分離シートの突出領域が歯列模型の遠位端の領域において解剖学に起因して最大であるため、この領域に、両方の遠位端の間に凹部が存在しており、凹部に、生産技術的に自動的に分離シートの突出領域が存在しているからである。したがって、残りの部分の歯列模型において分離シートの突出が極めて小さくても、すでに少ない材料使用量で、分離シートの充分に大きなグリップ領域が与えられている。
【００１３】
分離シートを用いてスプリントシートから歯列模型を取り外すとき、分離シートの断裂は絶対に阻止されなければならないので、したがって、本発明によれば、分離シートは、４０ＭＰａ〜７５ＭＰａ、好適には４２ＭＰａ〜７０ＭＰａの引張強度を有するようにされる。分離シートが断裂すると、すでに従来技術において当てはまるように、歯列模型を大いに苦労してスプリントシートから持ち上げなければならなくなる、または押し出さなければならなくなる。これは、阻止されるべきであり、したがって分離シートを耐裂性に作成しなければならない。
【００１４】
本発明の発展形態によれば、分離シートの、スプリントシートに面する側の面が、分離シートの、スプリントシートとは反対側の面よりも高い粗さを有することが想定されている。この場合、分離シートの、スプリントシートに面する側の面の粗さは、スプリントシートを深絞り加工するときに、分離シートとスプリントシートとの間の剥離可能な結合が得られるような高さの粗さであるべきである。
【００１５】
好適には、分離シートとスプリントシートとは、歯列模型を介して同時に深絞り加工されている。したがって、他の処理ステップを省略することが可能である。というのも、まず分離シートが、続いてスプリントシートが歯列模型を介して深絞り加工されるのではなく、分離シートおよびスプリントシートの深絞り加工を共通の１つのステップで行うことが可能であるという理由による。
【００１６】
最後に、分離シートは、深絞り加工前にすでにスプリントシートと剥離可能に結合されていることがさらに想定されている。この手順でも、分離シートおよびスプリントシートの両方が１つのステップで歯列模型を介して深絞り加工される。
【００１７】
実施の形態
図示された実施の形態に基づき、前述の発明を以下に詳説する。
【図面の簡単な説明】
【００１８】
【図１】本発明に係る装置の分解図を示す。
【図２】図１による本発明に係る装置の底面図を示す。
【図３】図１による本発明に係る装置の側面図を示す。
【００１９】
図１に分解図として示された実施の形態は、歯列模型２と分離シート３とスプリントシート４とを備える本発明に係る装置１を含む。分離シート３は、スプリントシート４と歯列模型２との間に配置されていて、したがって歯列模型２を介して深絞り加工が行われるときにスプリントシート４が歯列模型２の歯間空隙５に至ることを阻止する。同時に、分離シート３は、分離シート３の、スプリントシート４に面する側の面６の性質によって、分離シート３からのスプリントシート４の剥離を容易にする。
【００２０】
ここでは図示されていない歯科用スプリントを製作するために、スプリントシート４および分離シート３は、歯列模型２を介して深絞り加工される。スプリントシート４および分離シート３の深絞り加工は、順次行うことも同時に行うことも可能である。分離シート３の、スプリントシート４に面する側の面６は、分離シート３の、スプリントシート４とは反対側の面７よりも高い粗さを有するので、スプリントシート４と分離シート３とは、深絞り加工されるときに剥離不能に結合しない。
【００２１】
図２には、歯列模型２が、この歯列模型２を介して深絞り加工された分離シート３およびスプリントシート４とともに底面図で示されている。スプリントシート４の硬化は、図示の状態ですでに行われている。スプリントシート４および分離シート３は、歯列模型２と重なり合うので、スプリントシート４の突出領域８および分離シート３の突出領域９の両方が存在する。分離シート３の、歯列模型２の遠位端１０，１１に配置された突出領域９は、本発明によれば、自由なグリップ領域１２を形成する。
【００２２】
図３には、スプリントシート４からの歯列模型２の取外しが示されている。そのために、一方の手１３を用いて、スプリントシート４をスプリントシート４の突出領域８の任意の点で把持することが想定されている。他方の手１４を用いて、分離シート３のグリップ領域１２が掴まれ、歯列模型２とともにスプリントシート４から引き剥がされる。スプリントシート４から歯列模型２を引き剥がす間に分離シート３が断裂しないように、スプリントシート４は、５０ＭＰａの引張強度を有する。
【００２３】
続いて、ここには図示されていない歯科用スプリントがスプリントシート４から作り出される、特に切り抜かれる。
【符号の説明】
【００２４】
１  装置
２  歯列模型
３  分離シート
４  スプリントシート
５  歯間空隙
６  面
７  面
８  領域
９  領域
１０  遠位端
１１  遠位端
１２  グリップ領域
１３  手
１４  手
【図１】
2019195628.tif 000003
【図２】
2019195628.tif 000004
【図３】
2019195628.tif 000005
【外国語明細書】
2019195628.tif 000006
2019195628.tif 000007
2019195628.tif 000008
2019195628.tif 000009
2019195628.tif 000010
2019195628.tif 000011
2019195628.tif 000012
2019195628.tif 000013
2019195628.tif 000014
2019195628.tif 000015